【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
方法であって、
割当プロトコルにしたがって、バックホール・リンク割当を受信するための時間スロットを決定することであって、ここで、前記割当プロトコルは、アクセス・リンク・リソース割当と、前記アクセス・リンク・リソース割当によるアクセス・リンク通信との間のアクセス・リンク・レイテンシを規定する、ことと、
前記時間スロット中に、１または複数のアクセス・ポイントから前記バックホール・リンク割当を受信することと
を備える方法。
【請求項２】
前記アクセス・リンク・レイテンシは固定されたレイテンシであり、
前記割当プロトコルはさらに、前記バックホール・リンク割当とバックホール・リンク通信との間で固定されたものとして、バックホール・リンク・レイテンシを規定し、
前記アクセス・リンク・レイテンシは、前記バックホール・リンク・レイテンシ未満である請求項１に記載の方法。
【請求項３】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項２に記載の方法。
【請求項４】
前記アクセス・リンク・リソース割当を、制御チャネルを介して１または複数のデバイスへ送信することをさらに備える請求項３に記載の方法。
【請求項５】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項１に記載の方法。
【請求項６】
前記バックホール・リンク割当を受信することは、前記バックホール・リンク割当を、上部レイヤ・メッセージで受信することを含む請求項５に記載の方法。
【請求項７】
前記上部レイヤ・メッセージは、持続的な割当である請求項６に記載の方法。
【請求項８】
無線通信装置であって、
割当プロトコルにしたがって、バックホール・リンク割当を受信するための時間スロットを判別することであって、ここで、前記割当プロトコルは、アクセス・リンク・リソース割当と、前記アクセス・リンク・リソース割当によるアクセス・リンク通信との間のアクセス・リンク・レイテンシを規定する、ことと、
前記時間スロット中に、１または複数のアクセス・ポイントから前記バックホール・リンク割当を受信することと
を行うように構成された少なくとも１つのプロセッサと、
前記少なくとも１つのプロセッサに接続されたメモリと
を備える無線通信装置。
【請求項９】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満である請求項８に記載の無線通信装置。
【請求項１０】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項９に記載の無線通信装置。
【請求項１１】
前記少なくとも１つのプロセッサはさらに、前記アクセス・リンク・リソース割当を、制御チャネルを介して１または複数のデバイスへ送信するように構成された請求項１０に記載の無線通信装置。
【請求項１２】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項８に記載の無線通信装置。
【請求項１３】
前記バックホール・リンク割当を受信することは、前記バックホール・リンク割当を、上部レイヤ・メッセージで受信することを含む請求項１２に記載の無線通信装置。
【請求項１４】
前記上部レイヤ・メッセージは、持続的な割当である請求項１３に記載の無線通信装置。
【請求項１５】
装置であって、
割当プロトコルにしたがって、バックホール・リンク割当を受信するための時間スロットを決定する手段であって、ここで、前記割当プロトコルは、アクセス・リンク・リソース割当と、前記アクセス・リンク・リソース割当によるアクセス・リンク通信との間のアクセス・リンク・レイテンシを規定する、手段と、
前記時間スロット中に、１または複数のアクセス・ポイントから前記バックホール・リンク割当を受信する手段と
を備える装置。
【請求項１６】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満である請求項１５に記載の装置。
【請求項１７】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項１６に記載の装置。
【請求項１８】
前記アクセス・リンク・リソース割当を、制御チャネルを介して１または複数のデバイスへ送信する手段をさらに備える請求項１７に記載の装置。
【請求項１９】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項１５に記載の装置。
【請求項２０】
前記バックホール・リンク割当を受信することは、前記バックホール・リンク割当を、上部レイヤ・メッセージで受信することを含む請求項１９に記載の装置。
【請求項２１】
前記上部レイヤ・メッセージは、持続的な割当である請求項２０に記載の装置。
【請求項２２】
コンピュータ読取可能記憶媒体であって、
少なくとも１つのコンピュータに対して、割当プロトコルにしたがって、バックホール・リンク割当を受信するための時間スロットを決定させるためのコードであって、ここで、前記割当プロトコルは、アクセス・リンク・リソース割当と、前記アクセス・リンク・リソース割当によるアクセス・リンク通信との間のアクセス・リンク・レイテンシを規定する、コードと、
前記少なくとも１つのコンピュータに対して、前記時間スロット中に、１または複数のアクセス・ポイントから前記バックホール・リンク割当を受信させるためのコードとを備えるコンピュータ読取可能記憶媒体。
【請求項２３】
前記アクセス・リンク・レイテンシは固定されたレイテンシであり、
前記割当プロトコルはさらに、前記バックホール・リンク割当とバックホール・リンク通信との間で固定されたものとして、バックホール・リンク・レイテンシを規定し、
前記アクセス・リンク・レイテンシは、前記バックホール・リンク・レイテンシ未満である請求項２２に記載のコンピュータ読取可能記憶媒体。
【請求項２４】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項２３に記載のコンピュータ読取可能記憶媒体。
【請求項２５】
前記少なくとも１つのコンピュータに対して、前記アクセス・リンク・リソース割当を、制御チャネルを介して１または複数のデバイスへ送信させるためのコードをさらに備える請求項２４に記載のコンピュータ読取可能記憶媒体。
【請求項２６】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項２２に記載のコンピュータ読取可能記憶媒体。
【請求項２７】
前記バックホール・リンク割当を受信することは、前記バックホール・リンク割当を、上部レイヤ・メッセージで受信することを含む請求項２６に記載のコンピュータ読取可能記憶媒体。
【請求項２８】
前記上部レイヤ・メッセージは、持続的な割当である請求項２７に記載のコンピュータ読取可能記憶媒体。